(57)【要約】【課題】扉の開閉によって衝撃が加わるスライドレールのインナーメンバにおけるエンドストップ部の強度を増加させ、より大きな荷重によるストップ衝撃にも耐えられる商品寿命の長い補強付きエンドストップを備えたスライドレールを提供する。【解決手段】アウターメンバの中にインナーメンバをボールリテーナに保持されたボールを介して摺動自在に抱合したスライドレールにおいて、インナーメンバの長手方向の端部に設けられるエンドストップ部として、インナーメンバのレール底面を略垂直に立ち上げて当接面を形成するとともに、レールの両側面にレール底面から長手方向に略垂直に立ち上げた側壁を伸延設して当接面の両端を抱え込むようにインナーメンバの内側方向に湾曲させた曲折部を設けた構造である。【選択図】図１
2008259681.tif 000002
【特許請求の範囲】
【請求項１】
アウターメンバの中にインナーメンバをボールリテーナに保持されたボールを介して摺動自在に抱合したスライドレールにおいて、前記インナーメンバの長手方向の端部に設けられるエンドストップ部として、インナーメンバのレール底面を略垂直に立ち上げて当接面を形成するとともに、レールの両側面にレール底面から長手方向に略垂直に立ち上げた側壁を伸延して前記当接面の両端を抱え込むようにインナーメンバの内側方向に湾曲させた曲折部を設けたことを特徴とする補強付きエンドストップを備えたスライドレール。
【発明の詳細な説明】
【技術分野】
【０００１】
本発明は、アウターメンバの中にボールを介してインナーメンバを摺動自在に抱合したスライドレールに関し、特にインナーメンバの端部にあるエンドストップ部に補強のための曲折部を設けた補強付きエンドストップを備えたスライドレールの構造に関する。
【背景技術】
【０００２】
スライドレールは主に家庭用や軽量の精密機械および扉等に広く使用されている。スライドレールは抵抗が少ないので、重量がかかる場合や精度の要求される移動、収納において多数使用されている。大きな力をかけなくても可動部分である抽斗等を引き出し、または押し戻し出来るところに利点がある。特に、商品陳列機器、精密機械、電子機器、ビジネス機器やオフィス用のファイルボックス、キャビネット、事務用機械器具にスライドレールが多く使用されている。
【０００３】
扉に使用されるスライドレールは、重量がかかる扉本体を少ない磨耗で移動可能にすることから、大きな力をかけなくても扉を開閉することができる利点がある。しかしながら、扉の開閉にはストップ時に大きな衝撃がインナーメンバに設けられているエンドストップ部に加わることになる。ストップ時の衝撃がインナーメンバに設けられているエンドストップ部に度重なり加わることで当該部品が破損し、レール機能を果たさなくなる虞がある。このような破損、損壊を防止するため、従来はストップ機構として長手方向の端部を垂直に立ち上げた加工を施してストッパ用の当接面を形成して衝撃に対する強度を補強していた。
【０００４】
スライドレールは前述のような少ない力で重量のある部材を往復移動できる利点があることから幅広い用途があり、また、より大きな荷重を懸架させてスムースに移動させるというニーズもある。しかし、スライドレールのエンドストップ部に十分な強度がなければ荷重に比例した衝撃によりエンドストップ部には予想以上の大きな圧力が集中し、変形を惹起する等により、たとえスライドレールのその他機構が機能を果たせる状態であっても、スライドレール全体としては使用できなくなってしまう事態を招来することもある。
【０００５】
その結果、エンドストップ部が変形等することによってスライドレールを使用した全体（例えば、オフィス用のファイルボックスのファイルボックス全体）が寿命となってしまい、全体の交換が必要となる事態も想定される。使用の都度衝撃を受けるのは主にこのエンドストップ部である。従って、扉の開閉によって衝撃が加わるスライドレールのインナーメンバにおけるエンドストップ部の強度を増加させ、より大きな荷重の移動であってもストップ時の衝撃に変形しない耐久性のある、商品寿命の長いエンドストップ部付きスライドレールの構造を開発する事が望まれていた。
【０００６】
【特許文献１】特開２０００−１３９５９６号
【発明の開示】
【発明が解決しようとする課題】
【０００７】
本発明の目的は、上記課題である扉の開閉によって衝撃が加わるスライドレールのインナーメンバにおけるエンドストップ部の強度を増加させ、より大きな荷重によるストップ衝撃にも耐えられる商品寿命の長い補強付きエンドストップを備えたスライドレールを提供することにある。
【課題を解決するための手段】
【０００８】
上記目的を達成するために、本発明に係る補強付きエンドストップを備えたスライドレールは、アウターメンバの中にインナーメンバをボールリテーナに保持されたボールを介して摺動自在に抱合したスライドレールにおいて、前記インナーメンバの長手方向の端部に設けられるエンドストップ部として、インナーメンバのレール底面を略垂直に立ち上げて当接面を形成するとともに、レールの両側面にレール底面から長手方向に略垂直に立ち上げた側壁を伸延設して前記当接面の両端を抱え込むようにインナーメンバの内側方向に湾曲させた曲折部を設けた構造である。
【発明の効果】
【０００９】
本発明にかかる補強付きエンドストップを備えたスライドレールは上述のような構造であり、エンドストップ部の強度が増し、従来技術に比べより大きな荷重であっても、より多数の衝撃回数に対しストッパ機能の確保が可能となる為、以下のような効果がある。
まず、従来より大きな荷重に対して耐久力があることから、従来より大きな扉や幅広の扉等の重量の可動物に対しアウターメンバの中にインナーメンバをボールリテーナに保持されたボールを介して摺動自在に抱合した形状のスライドレールを使用することができる。次に、従来より多数の衝撃回数にも耐えることが可能なことから、当該エンドストップ部付きスライドレールを使用した器具の寿命を延長することができる。
【発明を実施するための最良の形態】
【００１０】
以下、本発明に係る補強付きエンドストップを備えたスライドレールを図面に示した実施例に基づいて説明する。図１はスライドレールのインナーメンバに本願発明に係るエンドストップ部が端部に設けられた状態を示す斜視図である。本発明に係るエンドストップ部は図１で示すようにスライドレール１０のインナーメンバ１２の端部に設けられるものである。スライドレール１０は図５の従来のスライドレールの断面図で相互関係を示すようにアウターメンバ１１とインナーメンバ１２とボールリテーナに保持されたボール１４とから成る構成であり、アウターメンバ内をインナーメンバが摩擦の影響を最小限にした状態でスムースに摺動する構成である。
【００１１】
インナーメンバの端部に設けられるエンドストップ部２０は、当接面２２と、曲折部２３ａ、２３ｂとからなる。図２はエンドストップ部２０の設けられたインナーメンバ１２の端面図である。また、図３はインナーメンバ１２の側壁の正面図であり、図４は、補強つきエンドストップが設けられたインナーメンバ１２の図１Ａ−Ａ’断面図である。
【００１２】
図５で示すようにスライドレール１０は長尺のアウターメンバ１１とその中を摺動するインナーメンバ１２とから成りボール１４を保持するボールリテーナを介在させて摺動自在に構成されている。インナーメンバ１２の外側壁にはボールリテーナのボール１４を抱合する為の半円弧形に凹んだ外溝が全長に渡って設けられている。一方、アウターメンバ１１の内側壁には、インナーメンバ１２の外側壁に対向する形で全長に渡ってボール１４を転動自在に抱合する為の半円弧に凹んだ内溝が設けられている。
【００１３】
ボール１４は、ボールリテーナに転動自在に保持された多数の金属製のボールであり、インナーメンバの外側壁とアウターメンバの内側壁の間に回転自在に抱合されている。このボール１４を介してアウターメンバはインナーメンバと互いにスライド自在に係合連結した構成である。ボール１４が接合するインナーメンバ１２の外溝は、アウターメンバ１１の内側の内溝とともに、ボール１４の走行面となり、横断円弧形状のガイド溝として形成され、円弧の部分がボール１４の外周と同じ曲率半径でボール１４を側面から包み込むような形状となっている。
【００１４】
スライドレール１０にはインナーメンバ１２をアウターメンバ１１内に止めるための係止具（図示せず）が設けられている。ドアや搭載されている抽斗の移動幅は係止具によって制限される。
【００１５】
当接面２２は、インナーメンバ１２の摺動を止める係止部で、インナーメンバ１１の底面の長手方向端部を略垂直に立ち上げて、底面に対し、垂直に立設するように形成されている。図２は当接面を図１における左側から見た図であり、当接面２２の高さは、側壁２４の高さと同じである必要はない。
【００１６】
曲折部２３ａ、２３ｂは、ストップ時の衝撃に耐える為の突起で、スライドレール１０の両側壁にスライドレールの底面から長手方向に略垂直に立ち上げた側壁２３ａ、２３ｂを先端方向へ伸延させて前記当接面２２の両端面を抱えこむように内側に屈曲させて形成する。図２の曲折部２３ａ、２３ｂはスライドレール１０を左側面から見たときの曲折部形状を表しており、図４はＡ−Ａ’断面図方向から表している。インナーメンバ１２がアウターメンバ１１と衝突する時に、曲折部２３ａ、２３ｂが衝突接触する先端面となり更に立設されている当接面２２が当設の衝撃を受け止める形状となる。
【００１７】
実験の結果、以下の表のような結果が確認されている。
以下の表から通常の製品が寿命を迎えた荷重及び衝撃積算回数に対し、本件発明製品はその略１．５倍の荷重で略１．２倍の積算回数まで使用可能であり、顕著な耐久性と強度の向上と寿命の延長効果がみられる。
【００１８】
【表１】
2008259681.tif 000003
【００１９】
なお、当接面２３ａ、２３ｂの形状は、この発明では側壁を曲折して形成しているが、その立ち上がる形状が弓形や山形、波型であっても良い。また、底面を立ち上げる機構でなく、別部材を装着する構成であっても良い。また、曲折部は当接面の両側を抱え込むように内側へ曲折されておればその曲折された部分の形状が半円形や山形であっても良く、レール底面から長手方向に略垂直に立ち上げた側壁がボールリテーナを使用しない等の理由により直線等の形状であっても良い。
【図面の簡単な説明】
【００２０】
【図１】本件発明に係る補強付きエンドストップを備えたスライドレールの斜視図
【図２】本件発明に係る補強付きエンドストップの左側面図
【図３】本件発明に係る補強付きエンドストップを備えたインナーメンバの側壁の正面図
【図４】本件発明に係る補強付きエンドストップを備えたインナーメンバのＡ−Ａ′断面図
【図５】従来のスライドレールの断面図
【符号の説明】
【００２１】
１０  スライドレール
１１  アウターメンバ
１２  インナーメンバ
１４  ボール
２０  エンドストップ部
２２  当接面
２３ａ，２３ｂ  曲折部
２４  側壁
【図１】
2008259681.tif 000004
【図２】
2008259681.tif 000005
【図３】
2008259681.tif 000006
【図４】
2008259681.tif 000007
【図５】
2008259681.tif 000008